【手続補正書】
【提出日】平成22年10月18日(2010.10.18)
【手続補正１】
【補正対象書類名】特許請求の範囲
【補正対象項目名】請求項１１
【補正方法】変更
【補正の内容】
【請求項１１】
遊技機から出力される出力情報を取得する出力情報取得手段と、
前記出力情報取得手段により取得された複数の出力情報各々の種類を特定可能な出力情報特定情報を記憶する出力情報記憶手段と、
前記出力情報取得手段によって前記出力情報が取得されたことを条件に、複数種類の出力情報の組合せに応じて付与する特典を設定し、携帯端末から受信した複数の出力情報特定情報から特定される複数の出力情報の組合せに対して設定された特典を付与するための特典付与処理を行なうサーバにアクセスするとともに、当該アクセスに伴って前記出力情報記憶手段に記憶されている複数の出力情報特定情報を前記サーバに送信する送信手段とを備えることを特徴とする、携帯端末。
【手続補正２】
【補正対象書類名】特許請求の範囲
【補正対象項目名】請求項１２
【補正方法】変更
【補正の内容】
【請求項１２】
遊技機から出力される出力情報を取得する出力情報取得手段を有する携帯端末に記憶され実行される携帯端末用プログラムと、前記出力情報を取得した携帯端末からのアクセスに応じて特典を付与するための処理を行なう遊技用サーバに記憶され実行される遊技用サーバプログラムとを含む遊技用プログラムであって、
前記携帯端末用プログラムは、
前記出力情報取得手段によって前記出力情報が取得されたことを条件として、サーバにアクセスするとともに、当該アクセスに伴って前記取得された出力情報の種類を特定可能な出力情報特定情報と前記携帯端末を個々に識別可能な携帯識別情報とを前記サーバに送信する送信ステップを備え、
前記遊技用サーバプログラムは、
前記送信ステップにより送信されてきた出力情報特定情報と携帯識別情報とを受信する受信ステップと、
複数種類の出力情報の組合せに応じて付与する特典を設定する特典設定ステップと、
各携帯識別情報に対応付けて前記受信ステップにより受信した出力情報特定情報を記憶する携帯別出力情報記憶ステップと、
前記受信ステップにより出力情報特定情報と携帯識別情報とを受信したときに、該受信した携帯識別情報に対応付けて前記携帯別出力情報記憶ステップにより記憶されている出力情報特定情報を特定する出力情報特定情報特定ステップと、
該出力情報特定情報特定ステップにより特定された出力情報特定情報により特定される出力情報の種類と前記受信した出力情報特定情報により特定される出力情報の種類との組合せに対して前記特典設定ステップにて設定された特典を付与するための特典付与処理を行なう特典付与処理ステップとを含むことを特徴とする、遊技用プログラム。
【手続補正３】
【補正対象書類名】特許請求の範囲
【補正対象項目名】請求項１５
【補正方法】変更
【補正の内容】
【請求項１５】
遊技機から出力される出力情報を取得する出力情報取得ステップと、
前記出力情報取得ステップにより取得された複数の出力情報各々の種類を特定可能な出力情報特定情報を記憶する出力情報記憶ステップと、
前記出力情報取得ステップによって出力情報が取得されたことを条件に、複数種類の出力情報の組合せに応じて付与する特典を設定し、携帯端末から受信した複数の出力情報特定情報から特定される複数の出力情報の組合せに対して設定された特典を付与するための特典付与処理を行なうサーバにアクセスするとともに、当該アクセスに伴って前記出力情報記憶ステップにより記憶されている複数の出力情報特定情報を前記サーバに送信する送信ステップとを含むことを特徴とする、携帯端末用プログラム。
【手続補正４】
【補正対象書類名】明細書
【補正対象項目名】００２５
【補正方法】変更
【補正の内容】
【００２５】
（１１）  遊技機から出力される出力情報を取得する出力情報取得手段（たとえば、カメラ部１９０、データ処理部１１０、図２１のＳ１２３〜Ｓ１２５）と、
前記出力情報取得手段により取得された複数の出力情報各々の種類を特定可能な出力情報特定情報（たとえば、取得ＩＤ、取得済ＩＤ）を記憶する出力情報記憶手段（たとえば、図１９の取得特典ＤＢ、図２１のＳ１２６）と、
前記出力情報取得手段によって前記出力情報が取得されたことを条件に、複数種類の出力情報の組合せに応じて付与する特典を設定し、携帯端末から受信した複数の出力情報特定情報から特定される複数の出力情報の組合せに対して設定された特典を付与するための特典付与処理を行なうサーバにアクセスするとともに、当該アクセスに伴って前記出力情報記憶手段に記憶されている複数の出力情報特定情報を前記サーバに送信する送信手段（たとえば、図２１のＳ１３５、図２２の４１３）とを備えることを特徴とする。
【手続補正５】
【補正対象書類名】明細書
【補正対象項目名】００２７
【補正方法】変更
【補正の内容】
【００２７】
（１２）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図１３のＳ１２３〜Ｓ１２５）を有する携帯端末（たとえば、携帯端末１００）に記憶され実行される携帯端末用プログラム（たとえば、図１３の特典受取アプリ＋復号アプリ）と、前記出力情報を取得した携帯端末からのアクセスに応じて特典を付与するための処理を行なう遊技用サーバ（たとえば、遊技機メーカサーバ２００）に記憶され実行される遊技用サーバプログラム（図１５の特典付与処理）とを含む遊技用プログラムであって、
前記携帯端末用プログラムは、
前記出力情報取得手段によって前記出力情報が取得されたことを条件として、サーバにアクセスするとともに、当該アクセスに伴って前記取得された出力情報の種類を特定可能な出力情報特定情報（たとえば、ＵＲＬ、所定の演出画像）と前記携帯端末を個々に識別可能な携帯識別情報（たとえば、会員ＩＤ）とを前記サーバに送信する送信ステップ（たとえば、図１３のＳ１３５）を備え、
前記遊技用サーバプログラムは、
前記送信ステップにより送信されてきた出力情報特定情報と携帯識別情報とを受信する受信ステップ（たとえば、図１５のＳ２３１）と、
複数種類の出力情報の組合せに応じて付与する特典を設定する特典設定ステップ（たとえば、図１８のＳ３０２、図８（ｂ）の組合せ特典ＤＢ）と、
各携帯識別情報に対応付けて前記受信ステップにより受信した出力情報特定情報を記憶する携帯別出力情報記憶ステップ（たとえば、図１６のＳ４０３、Ｓ４０６）と、
前記受信ステップにより出力情報特定情報と携帯識別情報とを受信したときに、該受信した携帯識別情報に対応付けて前記携帯別出力情報記憶ステップにより記憶されている出力情報特定情報を特定する出力情報特定情報特定ステップ（たとえば、図１６のＳ４０１、Ｓ４０４）と、
該出力情報特定情報特定ステップにより特定された出力情報特定情報により特定される出力情報の種類と前記受信した出力情報特定情報により特定される出力情報の種類との組合せに対して前記特典設定ステップにて設定された特典を付与するための特典付与処理を行なう特典付与処理ステップ（たとえば、図１６のＳ４０４、Ｓ４０５）とを含むことを特徴とする。
【手続補正６】
【補正対象書類名】明細書
【補正対象項目名】００３３
【補正方法】変更
【補正の内容】
【００３３】
（１５）  遊技機から出力される出力情報を取得する出力情報取得ステップ（たとえば、図２１のＳ１２３〜Ｓ１２５）と、
前記出力情報取得ステップにより取得された複数の出力情報各々の種類を特定可能な出力情報特定情報を記憶する出力情報記憶ステップ（たとえば、図２１のＳ１２６）と、
前記出力情報取得ステップによって出力情報が取得されたことを条件に、複数種類の出力情報の組合せに応じて付与する特典を設定し、携帯端末から受信した複数の出力情報特定情報から特定される複数の出力情報の組合せに対して設定された特典を付与するための特典付与処理を行なうサーバにアクセスするとともに、当該アクセスに伴って前記出力情報記憶ステップにより記憶されている複数の出力情報特定情報を前記サーバに送信する送信ステップ（たとえば、図２１のＳ１３５、図２２のＳ４１３）とを含むことを特徴とする。